(57)【特許請求の範囲】
【請求項１】
缶容器におけるプルトップ部のプルタブの裏側に設置されてプルタブにより部分的に不可視となっている二次元コード１と、
前記二次元コード１を読取る手段を備えたコンピュータ端末であってサーバコンピュータ３と相互通信を行いアンケート設問の受信と回答の入力と回答の送信とを行う端末プログラムを備えた携帯端末２と、
該携帯端末２とネットワークを介して接続されているコンピュータであってアンケート設問を生成し前記携帯端末２に送信するとともにアンケート回答を受信するサーバプログラムを備えたサーバコンピュータ３と、
からなるアンケート集計及び計時システムであって、
前記サーバコンピュータ３は前記サーバプログラムにより、
前記携帯端末２からアンケート回答を受信した時刻を取得する手段と、
前記時刻と前記アンケート回答とを関連付けてデータベースに記録する手段と、
を備え、
前記二次元コード１は、
プルトップ部上部にあるプルタブを引き上げることによりリベットを支点として開口部の押し開けが成されて容器の開封が成された際にそれと同時に二次元コード１の全体が外部に露出するとともに部分的に不可視とされていた二次元コード１の全体像が露出し読取り可能となることにより、
商品やその消費時刻の管理等を行うことを特徴とする
アンケート集計及び計時システム。
【発明の詳細な説明】
【技術分野】
【０００１】
本発明は、缶容器及び該缶容器に添付された二次元コード及び二次元コードの読取りとアンケート回答とを行う携帯端末及びアンケート設問の配信と回答の収集と記録とを行うサーバコンピュータからなるアンケートと計時を行うシステムであって、アンケートの回答内容と回答した時刻との双方を統計する技術分野に関する。
【背景技術】
【０００２】
まず、二次元コードと、二次元コード読取用の携帯端末としての携帯電話と、に関して述べる。
ＱＲコード（デンソーウェーブ株式会社の登録商標）に代表される二次元マトリックス式バーコード（二次元コード）は、一次元バーコードに比して面積あたりの情報記録密度が非常に大きく、一次元バーコードでは記述しきれない量の情報を埋め込むことが可能であり、物流や生産工程の管理などの目的で利用が広まっている。
【０００３】
「二次元コードを読取る」とは、内蔵プログラムが撮影装置を用いて二次元コードを撮影しその結果をデータとして取得し、解析することで二次元コードをデコードし、デコード結果のデータ列を取得することを言う。携帯端末を使用する使用者がボタン操作等によってその内蔵プログラムを作動させることも「二次元コードを読取る」という表現に含まれる。一般的に、携帯電話を二次元コード読取用の携帯端末として用いた場合、読取結果のデータ列中にＵＲＬ（ＵＮＩＦＯＲＭ  ＲＥＳＯＵＲＣＥ  ＬＯＣＡＴＯＲ）が文字列として含まれていれば、そのＵＲＬを携帯電話が自動的に認識し、使用者は一回から数回程度のボタン操作でそのＵＲＬが示すウェブページに接続することが出来る。
【０００４】
携帯端末がウェブページに接続された際に、そのウェブページを表示するウェブサーバを運営しているサーバコンピュータにおいては、接続を受けた時刻を取得すること及び、その時刻を記録するプログラムを作成することは一般に容易である。又、携帯端末によっては、携帯端末ＩＤ（各々の携帯端末に固有の識別番号）をサーバコンピュータにて取得することが可能である。
【０００５】
携帯電話の普及台数及び、二次元コードの読取が可能な携帯電話の普及台数について言及する。現在日本では、高校生又はそれ以上の年齢層においては殆どの人が携帯電話を保有している。具体的な台数の調査結果としては、電気通信事業者協会（ＴＣＡ）による報告がある。それによると、平成１９年２月７日の発表で、平成１９年１月末日で携帯電話の契約数が累計９５３１万５２００台、ＰＨＳが４９０万９３００台で、携帯とＰＨＳとの累計契約数は１億２２万４５００台とされている。ＱＲコード（二次元コードの一種であることは前述）を読取ることが可能な携帯電話の普及台数は４０００万台を超えたと推測されている。その為に、携帯電話と二次元コードを組み合わせた様々なシステムや方法が考案または発明されている。
【０００６】
二次元コードを用いたアンケートの例を挙げる。
【０００７】
特許文献１は二次元コードを用いたアンケートシステムの例である。二次元コードを用いたアンケートシステムを構築する際には、携帯電話等の二次元コード読取が可能な端末を用いて二次元コード読取を行い、読取った情報を元にしてインターネットに接続し、更には設問の受信と回答の送信とを行う回答端末として機能させることが出来る。これにより、紙媒体によるアンケートに比して大幅な手間の削減が可能となった。
【０００８】
二次元コードを読取った情報に基づいてインターネットに接続することで、様々なオンラインアンケートを行うことが可能となる。次に、オンラインアンケートの例を挙げる。
【０００９】
特許文献２はオンラインアンケート手法の例である。オンラインのアンケートの場合は、ある設問の回答内容を受けて、続く設問の内容（文面や選択肢、設問の順序など）を変更することが可能であることを示している。これにより、回答の内容によって設問の分岐を行ったり、乱数的に設問を変化させたりといったことが、プログラムを構築することで容易に実現できる。
【００１０】
次に、バーコードとバーコードリーダとを用いて瓶の開封時刻の計測を行う技術に関して述べる。
【００１１】
特許文献３は飲料用の瓶容器にバーコードを貼り付けると共に、バーコード読取り機能つきの開封器（栓抜き）で瓶容器を開封すると共に在庫管理コンピュータに開封時に得られた実時間的なデータを入力することにより、瓶飲料用在庫管理システムを提供するものである。
【００１２】
特許文献３における発明においては、専用のバーコードリーダ付の栓抜き器を用いることにより、開栓時の時刻をサーバ（在庫管理コンピュータ）に送信してその時刻を統計するという手法を用いている。
【００１３】
特許文献４の発明は、 ＱＲコードを読取る機能を備えた携帯端末とサービスセンタがネットワークで接続されたシステムに関するものである。販売促進プロモーション毎に固有のIDを付与し、そのID毎にアンケート集計操作を行うことにより、各々のプロモーション毎の効果を容易に測定せしめるものである。又、前記携帯電話はサーバ装置からアンケート回答フォームを受取る手段を有し、前記サーバ装置はアンケートの回答を日時等の情報と共にデータベースに登録させる手段を有している。
【００１４】
特許文献５の発明は、上下二層からなるラベルであり、下層に印刷された二次元コードは上層を剥離させることにより外部露出し、始めて読取り可能となるラベルに関するものである。
【特許文献１】特開２００５−３３９０７２号公報
【特許文献２】特開２００１−２６５９０１号公報
【特許文献３】特開平８−１６６８６号公報
【特許文献４】特開２００６−２６８７６３号公報
【特許文献５】特開２００６−５８７６７号公報
【発明の開示】
【発明が解決しようとする課題】
【００１５】
本発明は、二次元コードと携帯端末を用いた缶飲料に関するアンケート調査において、開缶の時刻を補足することを可能にするための二次元コード設置部の構造及び、アンケートの回答の内容と回答した時刻との双方を関連付けて統計するシステムの提供を目的とする。
【００１６】
特許文献１乃至５において、缶飲料において開缶時の時刻を補足するための二次元コード設置部の構造に関しては何ら記述が見られない。
【課題を解決するための手段】
【００１７】
本発明は上記に係る課題を鑑みてなされたものでありその構成は、缶容器におけるプルトップ部に設置された二次元コード１と、前記二次元コード１を読取る手段を備えたコンピュータ端末であってサーバコンピュータ３と相互通信を行いアンケート設問の受信と回答の入力と回答の送信とを行う端末プログラムを備えるとともに各々の機体に固有の識別番号２Ａを備えた携帯端末２と、該携帯端末２とネットワークを介して接続されているコンピュータであってアンケート設問を生成し前記携帯端末２に送信するとともにアンケート回答を受信するサーバプログラムを備えたサーバコンピュータ３と、からなるアンケート集計及び計時システムであって、前記プルトップ部は、前記二次元コード１がプルタブの裏側に設置されてプルタブにより部分的に不可視となっておりプルタブを引上げて開缶が成された後にその全体像が露出する構造を有し、前記サーバコンピュータ３は前記サーバプログラムにより、前記携帯端末２からアンケート回答を受信した時刻を取得する手段と、そのアンケート回答を受信する際に前記識別番号２Ａを取得する手段と、前記時刻と前記アンケート回答と前記識別番号２Ａと前記缶容器の製造年月日時刻とを関連付けてデータベースに記録する手段と、を有することを特徴とする。
【発明の効果】
【００１８】
本発明によれば、以下のような優れた効果を発揮する。
【００１９】
缶飲料のプルタブを引上げて開缶した後に、アンケート回答用の端末である携帯端末２により二次元コード１を読取り、読取った情報に基づいてサーバコンピュータ３にアクセスし、サーバコンピュータ３においては携帯端末２によるアクセスを受けてその携帯端末２にアンケートの設問を配信するとともに、その回答が得られた時刻と回答の内容とその缶飲料の製造年月日と携帯端末２に固有の識別番号とを関連付けて記録することにより、製造年月日からの経過時刻によって例えば缶飲料の味の評価に関するアンケートの回答結果がどのように変動するかを補足することが可能となり、更に製造後に缶飲料が消費されるまでの時間経過に関する統計結果を把握することが可能となり、更に各々の識別番号に関する追跡によって携帯端末２の所有者の消費動向の把握が可能となった。
【発明を実施するための最良の形態】
【００２０】
本発明の実施例について説明する。尚、本明細書において挙げられている全ての事例はあくまで発明の実施の一形態であって、発明はその事例に何ら限定されるものではない。
【実施例１】
【００２１】
本発明における二次元コードを設置したプルトップ部の具体例について、図１に沿って説明する。
【００２２】
プルトップ部８００の上部にあるプルタブ８０１を引き上げることによりリベット８０３を支点として開口部８０２を押開ける。この操作が缶容器の開缶である。更に、それと同時に二次元コード１の全体が外部に露出し二次元コード１が読取り可能となる。例えば、外気に触れることにより、読取り不能となるインクを用いて二次元コード１を印刷しても良い。この場合は、プルタブ８０１の引上げにより、二次元コード１を覆っていたフィルム等を引き剥がす構造とする等の方法が考えられる。すると、プルタブ８０１の引上げた後に、その顔料若しくは印刷媒体若しくはその両方が酸化し変色をし始める。そして一定以上の変色が進行すると二次元コード１は読取不能となる。
【実施例２】
【００２３】
本発明の一般的な実施形態について説明する。
【００２４】
図２は、本発明におけるネットワーク図である。二次元コード１は缶容器８におけるプルタブ８０１の裏側に設置されている。
【００２５】
インターネット６は携帯端末２やその他のコンピュータ同士を接続するための通信手段である。インターネットに限らず、有線や無線によるＬＡＮやＢＬＵＥＴＯＯＴＨなどの通信手段など、どのような通信手段でも良い。又、全ての接続を同一の通信手段とする必要は無く、例えば、携帯端末２とサーバコンピュータ３との通信はインターネット、その他の通信は有線によるＬＡＮであるなどの構成も可能である。
【００２６】
携帯端末２はインターネット６を介してサーバコンピュータ３と相互に接続されているコンピュータ端末である。又、携帯端末２は、二次元コードを読取る手段を備えており、二次元コード１を読取り、エンコードされているデータをデコードして取出し、デコード結果のデータに基づいてサーバコンピュータ３への接続を行う手段を有する。
【００２７】
使用者７は、携帯端末２の所持者である。尚、携帯端末２における固有の識別番号２Ａに対してアンケート回答履歴(回答履歴とは回答の内容と回答がなされた時刻の双方を含むものとする)を追跡した場合、使用者７の回答履歴を追跡していることになる。識別番号としては機体番号や電話番号、メールアドレス等を使用することが出来る。
【００２８】
サーバコンピュータ３は、インターネット６を介して携帯端末２及び生産管理コンピュータ５と相互に接続されているとともに、管理データベース１０と接続されておりそのデータ読出及び更新を行うコンピュータである。サーバコンピュータ３はサーバプログラムを備え、携帯端末２からのアンケート送信要求を受けた際にアンケートを携帯端末２に配信するとともに、携帯端末２から受信するアンケート回答の結果とその時刻とを記録統計する手段を有する。記録統計との際のデータの格納場所として管理データベース１０が利用される。
【００２９】
生産管理コンピュータ５は、インターネット６を介してサーバコンピュータ３と相互に接続されているとともに、製造データベース１１と接続されておりそのデータ読出及び更新を行うコンピュータである。更には、缶容器８が商品として出荷される際の情報を製造データベース１１の記録を用いて管理するコンピュータである。生産管理コンピュータ５は生産管理プログラムを備え、缶容器８の製造の際に、缶容器８と二次元コード１とを関連付けて記録する手段を有する。
【実施例３】
【００３０】
二次元コードが缶容器８に添付されて出荷されるまでの過程を図３に沿って、説明する。又、Ｓ３０００番台とＳ５０００番台とのステップは、夫々サーバコンピュータ３と生産管理コンピュータ５との上で動作することは明らかであり、それらの動作主体が明らかである場合にはその動作主体や文章中の主語の記述を省略することがある。
【００３１】
開始入力を受けることにより、生産管理コンピュータ５において生産管理プログラムが開始される。
【００３２】
ステップＳ５００１により、サーバコンピュータ３に対して二次元コード発行要求がなされる。このステップは、生産管理コンピュータ５が製造データベース１１中に記録されている商品を缶容器８としてその缶容器８に二次元コード１を関連付けるためになされる。
【００３３】
サーバコンピュータ３はステップＳ３００１において、二次元コードＩＤを発行する。二次元コードＩＤは各々の二次元コードに対して固有の番号であるため、既に発行された二次元コードＩＤと重複しないＩＤが選ばれる。
【００３４】
ステップＳ３００２において、二次元コードＩＤを持つ二次元コードを管理するためのデータレコードを生成し、管理データベース１０中に記録する。ここで、管理データベースの詳細は図５に示してある（詳細は後述）。
【００３５】
次に、サーバアドレスと二次元コードＩＤとをエンコードして二次元コード１を画像データとして生成する（ステップＳ３００３）。
【００３６】
ステップＳ３００４により、前ステップにて生成された二次元コード１を生産管理コンピュータ５に送信する。尚、このステップにおいては、サーバコンピュータ３において二次元コードのエンコードが行われているが、エンコードの操作は生産管理コンピュータ５において行っても良い。
【００３７】
生産管理コンピュータ５によりステップＳ５０１１において、二次元コード１を受信する。
【００３８】
ステップＳ５０１２により、前ステップにて受信した二次元コード１と缶容器８とを関連付けて製造データベース１１に記録する。
【００３９】
この時点で缶容器８の出荷準備が完了したことになる。
【００４０】
そして缶容器８が出荷されるとともに、ステップＳ５０１３により、缶容器８が出荷されたことを出力し、その情報を製造データベース１１に記録する。
【実施例４】
【００４１】
次に、出荷された缶容器８に添付の二次元コード１が携帯端末２によって読取られ、使用者７によってアンケートの回答がなされるまでのプロセスを図４に沿って説明する。
【００４２】
管理データベース１０の構造については図５参照のこと。図５のＰＫは主キー属性を示し、ＦＫは外部キー属性を示すものとする。
【００４３】
まず、使用者７が携帯端末２を操作することにより端末プログラムが動作する。
【００４４】
ステップＳ２００１により、携帯端末２が二次元コードを読取る。
【００４５】
ステップＳ２００２により、前ステップによって二次元コード１が読取られた結果に基づいて、サーバコンピュータ３にアンケート送信要求を行う。この場合、二次元コード１には缶容器８に関する情報がエンコードされており、その情報を送信することにより、アンケート設問選択がなされる。この情報は商品企画１０４における主キー属性である。商品企画コードを含んでいる。
【００４６】
商品企画１０４はどのような商品１０１に対してアンケート回答の際にどのような抽選１０３を行うか、又それらの情報を参照するための二次元コード１０２はどのような二次元コードＩＤを持つかといったことを関連付けるレコードを備えるデータテーブルである。
【００４７】
又、質問セット明細１０７はどのような商品企画１０４に対してどのようなアンケート設問を行うかを関連付けるためのデータテーブルである。アンケート設問の内容やその分野、回答方法（選択式や記述式等の情報）等はアンケート設問１０６に規定されている。
【００４８】
携帯端末１０５は、アンケートに参加した携帯端末２のリストを作成するためのデータテーブルである。
【００４９】
回答明細１０８は、どのようなアンケート設問１０６に対してどのような携帯端末がどのような回答をいつ行ったのかを記録するデータテーブルである。尚、回答明細１０８の属性を参照し、その値がＮＵＬＬであるか否かを用いる等の方法により、同じ携帯端末２で同じ二次元コード１を複数回読取って複数回の回答を行おうとしているかなどといった判別が可能である。
【００５０】
ステップＳ３１０１により、サーバコンピュータ３はアンケート送信要求を受信する。
【００５１】
ステップＳ３１０２により、初回の回答か否かによって分岐を行う。この場合の初回とは、ある二次元コード１によるアンケートに対して同じ携帯端末２が複数回の回答を行おうとしていないか、若しくはある二次元コード１によるアンケートに対して複数回の回答が行われようとしていないか、などの複数のパターンが考えられる。
【００５２】
ステップＳ３１０２の分岐によってその次のステップはＳ３１０３とＳ３１０４とに分岐する。
【００５３】
ステップＳ３１０２後にステップＳ３１０４が実行された場合を説明する。
【００５４】
ステップＳ３１０４より、アンケートに参加できないことを示す情報を生成し、携帯端末２に送信する。
【００５５】
携帯端末２はステップＳ２００３により、アンケートに参加できないことを示す警告情報を表示し、プロセスが終了する。
【００５６】
ステップＳ３１０２後にステップＳ３１０３が実行された場合を説明する。
【００５７】
ステップＳ３１０３により、携帯端末２に送信するアンケート設問を決定する。この設問の決定の際には、予め出題パターンを設定しておいたり、乱数を用いたりといった方法が採られる。若しくは、既に集まっている回答結果の集積された情報を、設問選択の際の要因として加えることも出来る。
【００５８】
ステップＳ３１０５により、携帯端末２にアンケート設問を送信する。
【００５９】
アンケート設問が複数問ある場合に、回答を一つずつサーバコンピュータ３に送信すると、通信回線やサーバコンピュータ３における処理の負担が大きくなる。従って、複数問の回答に関するデータを一括してサーバコンピュータ３に送信しても良い。この機能は、携帯端末２に専用のソフトを組み込んでも良いし、サーバコンピュータ３から質問を送信する際にスクリプト言語によるプログラムを携帯端末２に送信しても良い。
【００６０】
次に携帯端末２において、ステップＳ２００４により、受信した設問が表示される。
【００６１】
ステップＳ２００５により、設問に対する回答の入力操作を受付ける。そこで、使用者７は入力操作を行い、次のステップに処理が移行する。
【００６２】
ステップＳ２００６により、前ステップにて取得した回答結果を含む情報をサーバコンピュータ３に送信する。
【００６３】
次に、サーバコンピュータ３においてステップＳ３１０６により、アンケート設問に対する回答結果を受信する。
【００６４】
ステップＳ３１０７により、アンケート設問に対する回答結果と回答結果が得られた時刻とを管理データベース１０に記録する。
【００６５】
次に抽選の処理を行う。抽選はアンケート参加者に対して行われる。その目的は、アンケート参加者の参加意欲を向上させ、より多くの回答結果を得ることにある。
【００６６】
ステップＳ３１０８により、抽選を実施する。当落の決定は、予め用意されたパターンに従うか、乱数を用いるか、時間を用いる、若しくはそれらの組み合わせ等の方法によって行う。
【００６７】
ステップＳ３１０９により、抽選結果を携帯端末２に送信する。
【００６８】
次に、携帯端末２において、ステップＳ２００７により、抽選結果を表示する。この結果表示の際に、当選者に送付する商品の送り先の入力を受付けても良い。
【００６９】
以上で一連のプロセスが終了する。
【００７０】
又、本実施例においては、携帯端末２が二次元コード１を読取ってサーバコンピュータ３にアンケート送信要求を行うことによりアンケートが開始されるが、二次元コード１の役割をＲＦＩＤ等で代替することもできる。この場合には、携帯端末２にＲＦＩＤの読取り機能を持たせる構成にする。
【図面の簡単な説明】
【００７１】
【図１】本発明における二次元コード設置部のプルトップ形状の平面図及び斜視図である。
【図２】本発明におけるシステム構成の概略を示すネットワーク図である。
【図３】二次元コード１の発行プロセスを示したフローチャート図である。
【図４】二次元コード１の読取りからアンケートの回答結果が記録されるまでのプロセスを示したフローチャート図である。
【図５】管理データベース１０におけるデータベース構造を示したＥＲ（ＥＮＴＩＴＹ ＲＥＬＡＴＩＯＮ）図である。
【符号の説明】
【００７２】
１  二次元コード
２  携帯端末
２Ａ  識別番号
Ｓ２００１〜Ｓ２００７  携帯端末２に内蔵の端末プログラムによって実行されるステップ
３  サーバコンピュータ
Ｓ３００１〜Ｓ３００４、Ｓ３１０１〜Ｓ３１０９  サーバコンピュータ３に内蔵のサーバプログラムによって実行されるステップ
５  生産管理コンピュータ
Ｓ５００１、Ｓ５０１１〜Ｓ５０１３  生産管理コンピュータ５に内蔵の生産管理プログラムによって実行されるステップ
６  インターネット
７  使用者
８  缶容器
８００  プルトップ部
８０１  プルタブ
８０２  開口部
８０３  リベット
１０  管理データベース
１０１〜１０８  管理データベース１０中の各々のデータテーブルを示す。
１１  製造データベース
【図１】
0004367789.tif 000002
【図２】
0004367789.tif 000003
【図３】
0004367789.tif 000004
【図４】
0004367789.tif 000005
【図５】
0004367789.tif 000006